(57)【特許請求の範囲】
【請求項１】
施設に関する質問をする質問者から、当該施設を特定する情報である施設特定情報を含む質問情報を取得する質問情報取得手段と、
取得した前記質問情報に含まれる前記施設特定情報から前記施設の場所を特定し、当該施設の場所の近辺に存在する回答者を抽出する抽出手段と、
抽出した前記回答者に対して前記質問の存在を通知する通知手段と、
前記回答者から、前記質問に関する回答を取得する回答取得手段と、
取得した前記回答に関する情報を含む回答情報を前記質問者に提供する提供手段と
を備え、
前記提供手段は、前記回答の種別ごとの件数と写真が添付された前記回答とを異なる表示欄に配置した前記回答の集計結果を前記回答情報として前記質問者に提供することを特徴とする施設情報収集システム。
【請求項２】
前記質問情報は、前記質問の内容、回答を希望する期限、及び回答をする際の写真の要否の少なくとも何れか１つに関する情報を含むことを特徴とする請求項１に記載の施設情報収集システム。
【請求項３】
前記質問情報は、回答を希望する期限を含み、
前記回答取得手段は、複数の前記回答者から前記回答を取得し、
前記提供手段は、前記期限が到来した際に、複数の前記回答者から取得した複数の前記回答に関する情報を含む前記回答情報を前記質問者に提供することを特徴とする請求項２に記載の施設情報収集システム。
【請求項４】
前記質問者から前記回答を信頼する旨の情報が入力されると前記回答者に付加価値を付与する付与手段を更に備えたことを特徴とする請求項１に記載の施設情報収集システム。
【請求項５】
コンピュータが、施設に関する質問をする質問者から、当該施設を特定する情報である施設特定情報を含む質問情報を取得するステップと、
コンピュータが、取得した前記質問情報に含まれる前記施設特定情報から前記施設の場所を特定し、当該施設の場所の近辺に存在する回答者を抽出するステップと、
コンピュータが、抽出した前記回答者に対して前記質問の存在を通知するステップと、
コンピュータが、前記回答者から、前記質問に関する回答を取得するステップと、
コンピュータが、取得した前記回答に関する情報を含む回答情報を前記質問者に提供するステップと
を含み、
前記提供するステップでは、前記回答の種別ごとの件数と写真が添付された前記回答とを異なる表示欄に配置した前記回答の集計結果を前記回答情報として前記質問者に提供することを特徴とする施設情報収集方法。
【請求項６】
コンピュータに、
施設に関する質問をする質問者から、当該施設を特定する情報である施設特定情報を含む質問情報を取得する機能と、
取得した前記質問情報に含まれる前記施設特定情報から前記施設の場所を特定し、当該施設の場所の近辺に存在する回答者を抽出する機能と、
抽出した前記回答者に対して前記質問の存在を通知する機能と、
前記回答者から、前記質問に関する回答を取得する機能と、
取得した前記回答に関する情報を含む回答情報を前記質問者に提供する機能と
を実現させ、
前記提供する機能は、前記回答の種別ごとの件数と写真が添付された前記回答とを異なる表示欄に配置した前記回答の集計結果を前記回答情報として前記質問者に提供するためのプログラム。
【発明の詳細な説明】
【技術分野】
【０００１】
本発明は、施設情報収集システム、施設情報収集方法、及びプログラムに関する。
【背景技術】
【０００２】
特許文献１では、アンケートの対象物の位置を含むアンケート配信エリア内に位置している場合にアンケート配信サーバからアンケートを配信され、配信されたアンケートを表示し、アンケートに対するユーザの回答を受け付けて、回答を含むアンケート回答結果情報をアンケート配信サーバに送信している。そして、携帯端末がアンケート配信エリア内に位置している場合に、携帯端末にアンケートを配信している。
【０００３】
特許文献２では、所定時間になると携帯端末から、携帯端末の位置を示す端末位置情報を受信し、送信する質問情報に関連付けられている位置情報と一致する端末位置情報を検出し、端末位置情報に関連付けられている端末識別情報に対応する携帯端末に質問情報を送信する。この場合、定期的に携帯端末の位置を把握することができるため、アンケートを実施したいエリアにある携帯端末を最新の情報で検出することができ、質問情報を送信すべき携帯端末を特定することができる。従って、時間を要することなく、その端末に対してのみ質問情報を提供することができる。また、回答情報を送信した携帯端末に対して特典を付与することで、積極的にアンケートに回答させている。
【先行技術文献】
【特許文献】
【０００４】
【特許文献１】特開２０１３−２０６２１７号公報
【特許文献２】特開２００６−２６０２６４号公報
【発明の概要】
【発明が解決しようとする課題】
【０００５】
例えば店舗等の施設について、「今の状況」を知る手段として、その場に行くのが確実であるが、現地まで赴くには時間的制約等の都合で叶わない場合が多々ある。また、定休日の定まっていない店舗においては、当日の開店情報を知るには店舗まで行くしかないが、行ってみて閉店していると時間も労力もかかり非効率である。更には、例えば旅行のガイドブックで更新されていない情報があり、行ってみて閉店しているというケースもある。また更に、開店情報だけではなく、空席情報、行列の情報、販売終了の情報等も、現地へ行かなければ分からない。
【０００６】
その一方で、近年ではツイッター（登録商標）等のＳＮＳ（Social Networking Service）を通して情報収集することができるようになり、例えば電車の運行情報等は逐次アップロードされた情報を参考に閲覧者が行動に移すことも可能となっている。
【０００７】
しかしながら、従来のＳＮＳによる情報収集では、例えば投稿者はペンネーム等が公開されており、場合によっては個人情報を特定されるリスクがある。また、閲覧者にとっては、自分の気になる情報を「探す」という作業が発生することから、即時に希望の情報を得ることができない、という問題が起こり得る。
【０００８】
本発明の目的は、質問者が欲する施設の現状について、本構成を採用しない場合に比べて、より適切に、質問者に対して提供可能とすることにある。
【課題を解決するための手段】
【０００９】
かかる目的のもと、本発明は、施設に関する質問をする質問者から、施設を特定する情報である施設特定情報を含む質問情報を取得する質問情報取得手段と、取得した質問情報に含まれる施設特定情報から施設の場所を特定し、施設の場所の近辺に存在する回答者を抽出する抽出手段と、抽出した回答者に対して質問の存在を通知する通知手段と、回答者から、質問に関する回答を取得する回答取得手段と、取得した回答に関する情報を含む回答情報を質問者に提供する提供手段とを備えた施設情報収集システムを提供する。
【００１０】
質問情報は、質問の内容、回答を希望する期限、及び回答をする際の写真の要否の少なくとも何れか１つに関する情報を含む、ものであってもよい。その場合、質問情報は、回答を希望する期限を含み、回答取得手段は、複数の回答者から回答を取得し、提供手段は、期限が到来した際に、複数の回答者から取得した複数の回答に関する情報を含む回答情報を質問者に提供する、ものであってよい。また、質問情報は、回答をする際の写真の要否を含み、通知手段は、抽出した回答者に対して写真を添付せずに回答することを拒絶するかどうかを制御する制御情報を更に通知する、ものであってよい。
【００１１】
回答取得手段は、複数の回答者から回答を取得し、提供手段は、複数の回答者から取得した複数の回答を集計し、集計結果を回答情報として質問者に提供する、ものであってよい。
【００１２】
施設情報収集システムは、質問者から回答を信頼する旨の情報が入力されると回答者に付加価値を付与する付与手段を更に備えた、ものであってよい。
【００１３】
また、本発明は、施設に関する質問をする質問者から、施設を特定する情報である施設特定情報を含む質問情報を取得するステップと、取得した質問情報に含まれる施設特定情報から施設の場所を特定し、施設の場所の近辺に存在する回答者を抽出するステップと、抽出した回答者に対して質問の存在を通知するステップと、回答者から、質問に関する回答を取得するステップと、取得した回答に関する情報を含む回答情報を質問者に提供するステップとを含む施設情報収集方法も提供する。
【００１４】
更に、本発明は、コンピュータに、施設に関する質問をする質問者から、施設を特定する情報である施設特定情報を含む質問情報を取得する機能と、取得した質問情報に含まれる施設特定情報から施設の場所を特定し、施設の場所の近辺に存在する回答者を抽出する機能と、抽出した回答者に対して質問の存在を通知する機能と、回答者から、質問に関する回答を取得する機能と、取得した回答に関する情報を含む回答情報を質問者に提供する機能とを実現させるためのプログラムも提供する。
【発明の効果】
【００１５】
本発明によれば、質問者が欲する施設の現状について、本構成を採用しない場合に比べて、より適切に、質問者に対して提供することができる。
【図面の簡単な説明】
【００１６】
【図１】本発明の実施の形態における質問回答システムの全体構成例を示した図を示した図である。
【図２】本発明の実施の形態におけるアプリ管理サーバのハードウェア構成例を示した図である。
【図３】本発明の実施の形態において質問者が質問を発信する際の概略動作例を示した図である。
【図４】本発明の実施の形態において回答者が質問に回答して質問者へ回答をフィードバックする際の概略動作例を示した図である。
【図５】本発明の実施の形態における質問者端末の質問時の画面例を示した図である。
【図６】本発明の実施の形態における回答者端末に表示された回答フォームの基本構成例を示した図である。
【図７】本発明の実施の形態における回答フォームの基本構成例で地図ボタンを押下することによる地図表示時の画面例を示した図である。
【図８】本発明の実施の形態における質問者端末の回答閲覧時の画面例を示した図である。
【図９】本発明の実施の形態におけるアプリ管理サーバの機能構成例を示したブロック図である。
【図１０】本発明の実施の形態におけるアプリ管理サーバの質問管理情報記憶部に記憶された質問管理情報の一例を示した図である。
【図１１】本発明の実施の形態におけるアプリ管理サーバの回答管理情報記憶部に記憶された回答管理情報の一例を示した図である。
【図１２】本発明の実施の形態における質問回答システムの動作例を示したシーケンス図である。
【図１３】本発明の実施の形態における回答者抽出処理の処理例を示したフローチャートである。
【図１４】本発明の実施の形態における質問通知生成処理の処理例を示したフローチャートである。
【図１５】本発明の実施の形態における回答集計処理の処理例を示したフローチャートである。
【発明を実施するための形態】
【００１７】
以下、添付図面を参照して、本発明の実施の形態について詳細に説明する。
【００１８】
［質問回答システムの全体構成］
図１は、本実施の形態における質問回答システム１の全体構成例を示した図である。図示するように、この質問回答システム１は、質問者端末１０と、回答者端末２０１，２０２，２０３と、アプリ管理サーバ３０とが通信回線８０に接続されることにより構成されている。尚、図では、質問者端末１０は１つしか示していないが、複数存在してもよい。また、回答者端末２０１，２０２，２０３を示したが、これらを区別しない場合は回答者端末２０と称することもある。回答者端末２０は３つ示したが、４つ以上存在してもよい。更に、通信回線８０は、例えばインターネットとすればよい。
【００１９】
質問者端末１０は、質問者によって使用される端末装置である。質問者端末１０には質問回答システム１を利用するためのアプリケーション（以下、「アプリ」という）がインストールされており、このアプリが質問者による質問を受け付けてその質問に対する回答の情報を質問者に提供する。具体的には、質問者による質問を受け付け、通信回線８０を介してアプリ管理サーバ３０へ送信し、その質問に対する回答の情報を通信回線８０を介してアプリ管理サーバ３０から受信して表示する。尚、質問者端末１０は、例えば、スマートフォン、携帯電話、タブレット端末等の携帯端末であってよい。
【００２０】
回答者端末２０は、回答者によって使用される端末装置である。回答者端末２０にも質問回答システム１を利用するためのアプリがインストールされており、このアプリが質問者による質問に対する回答者による回答を受け付ける。具体的には、質問者による質問を通信回線８０を介してアプリ管理サーバ３０から受信し、その質問に対する回答者による回答を受け付け、通信回線８０を介してアプリ管理サーバ３０へ送信する。尚、回答者端末２０も、例えば、スマートフォン、携帯電話、タブレット端末等の携帯端末であってよい。
【００２１】
ここで、質問者端末１０及び回答者端末２０は、同じ構成を有する端末装置である。この端末装置を、質問者によって使用される場合は質問者端末１０と称し、回答者によって使用される場合は回答者端末２０と称する。また、質問者及び回答者は何れも、質問回答システム１を利用するためのアプリを自身の端末装置にインストールし、アプリ管理サーバ３０が認識している利用者（以下、「アプリ利用者」という）である。アプリ利用者は、質問を行う場合は質問者となり、質問に対する回答を行う場合は回答者となる。更に、各端末装置は端末ＩＤによって識別されるが、以下では、端末装置が質問者端末１０として機能するときの端末ＩＤを「質問者端末ＩＤ」と称し、端末装置が回答者端末２０として機能するときの端末ＩＤを「回答者端末ＩＤ」と称する。
【００２２】
アプリ管理サーバ３０は、質問者端末１０及び回答者端末２０にインストールされたアプリを管理するサーバコンピュータである。具体的には、質問者端末１０にインストールされたアプリから質問を通信回線８０を介して受信し、これを回答者端末２０にインストールされたアプリへ通信回線８０を介して送信する。そして、回答者端末２０にインストールされたアプリから質問に対する回答を通信回線８０を介して受信し、この回答の情報を質問者端末１０にインストールされたアプリへ通信回線８０を介して送信する。尚、アプリ管理サーバ３０は、１つのコンピュータとして示したが、アプリ管理サーバ３０の後述する複数の機能を分担して実行する複数のコンピュータを含むものであってもよい。
【００２３】
［アプリ管理サーバ、質問者端末、回答者端末のハードウェア構成］
図２は、アプリ管理サーバ３０のハードウェア構成例を示した図である。図示するように、アプリ管理サーバ３０は、装置全体の動作を制御する制御ユニット３１と、データ等を記憶するハードディスクドライブ３２と、ＬＡＮ（Local Area Network）ケーブル等を介した通信を実現する通信インターフェース３３と、情報が入力される入力デバイス３４と、情報が表示される表示デバイス３５とを備えている。
【００２４】
制御ユニット３１は、ＣＰＵ３１１と、基本ソフトウェアやＢＩＯＳ等が記憶されたＲＯＭ３１２と、ワークエリアとして用いられるＲＡＭ３１３とを有している。ＣＰＵ３１１はマルチコアでもよい。また、ＲＯＭ３１２は、書き換え可能な不揮発性の半導体メモリでもよい。制御ユニット３１は、所謂コンピュータである。
【００２５】
ハードディスクドライブ３２は、円盤状の基板表面に磁性体を塗布した不揮発性の記憶媒体にデータを読み書きする装置である。不揮発性の記憶媒体は、半導体メモリ等でもよい。通信インターフェース３３は、他の装置との接続に使用されるインターフェースである。入力デバイス３４は、例えばキーボード、マウス、タッチパネルであり、表示デバイス３５は、例えば液晶ディスプレイ、有機ＥＬ（Electro Luminescence）ディスプレイである。
【００２６】
制御ユニット３１と、ハードディスクドライブ３２と、通信インターフェース３３と、入力デバイス３４と、表示デバイス３５とは、バス３９や不図示の信号線を通じて接続されている。
【００２７】
また、図２に示したハードウェア構成例は、質問者端末１０及び回答者端末２０のハードウェア構成例として捉えることもできる。但し、質問者端末１０について述べるときは、図２の制御ユニット３１、ＣＰＵ３１１、ＲＯＭ３１２、ＲＡＭ３１３、ハードディスクドライブ３２、通信インターフェース３３、入力デバイス３４、表示デバイス３５をそれぞれ、制御ユニット１１、ＣＰＵ１１１、ＲＯＭ１１２、ＲＡＭ１１３、ハードディスクドライブ１２、通信インターフェース１３、入力デバイス１４、表示デバイス１５と表記するものとする。そして、回答者端末２０について述べるときは、図２の制御ユニット３１、ＣＰＵ３１１、ＲＯＭ３１２、ＲＡＭ３１３、ハードディスクドライブ３２、通信インターフェース３３、入力デバイス３４、表示デバイス３５をそれぞれ、制御ユニット２１、ＣＰＵ２１１、ＲＯＭ２１２、ＲＡＭ２１３、ハードディスクドライブ２２、通信インターフェース２３、入力デバイス２４、表示デバイス２５と表記するものとする。
【００２８】
［本実施の形態の概略動作］
図３は、質問者が質問を発信する際の概略動作例を示した図である。
【００２９】
まず、質問者Ｕ１０は、質問者端末１０を用いて、アプリ管理サーバ３０へ質問内容を送信する（Ｓ１）。図では、質問者Ｕ１０は、ラーメン屋Ａに行きたいと思っているが、ラーメン屋Ａは不定休なので、わざわざ現地に行って営業していなかったら嫌だという思いもあり、「ラーメン屋Ａって今日やってますか？」という質問内容をアプリ管理サーバ３０へ送信している。
【００３０】
アプリ管理サーバ３０は、アプリ利用者の端末（質問者端末１０及び回答者端末２０の両方を含む）の位置情報を保持している。具体的には、アプリ利用者の端末の端末ＩＤと位置情報とを紐付けている。位置情報は、ＧＰＳ（Global Positioning System）やビーコン等を利用して取得すればよい。但し、端末ＩＤ及び位置情報には、氏名、年齢、職業等の個人情報と直結した情報は紐付けられていない。アプリ管理サーバ３０は、質問者端末１０から取得した質問内容から質問対象の施設を特定し、その施設の近辺に存在する端末の端末ＩＤを回答者端末ＩＤとして抽出する（Ｓ２）。図では、アプリ利用者の端末の位置情報に基づいて、質問対象のラーメン屋Ａから半径Ｒメートル以内にある端末の端末ＩＤを抽出している。
【００３１】
その後、アプリ管理サーバ３０は、抽出された端末ＩＤの回答者端末２０へ、質問が来ていることを通知する質問通知を、例えばプッシュ通知で送信する（Ｓ３）。これにより、回答者Ｕ１１，Ｕ１２，Ｕ１３が所持する回答者端末２０１，２０２，２０３では、インストールされているアプリにそれぞれ回答者Ｕ１１，Ｕ１２，Ｕ１３を誘導する。図では、回答者端末２０１，２０２，２０３に、質問者Ｕ１０が送信した「ラーメン屋Ａって今日やってますか？」という質問が表示されている。
【００３２】
図４は、回答者が質問に回答して質問者へ回答をフィードバックする際の概略動作例を示した図である。
【００３３】
まず、回答者Ｕ１１，Ｕ１２，Ｕ１３は、それぞれ回答者端末２０１，２０２，２０３に表示された質問内容に基づいて、指定された施設の状況を実際に確認し、回答フォームから回答をアプリ管理サーバ３０へ送信する（Ｓ４）。図では、回答者Ｕ１１が「やってますよ！」という回答を写真と共に送信し、回答者Ｕ１２が「やってます！」という回答を送信し、回答者Ｕ１３が「やってません」という回答を送信している。
【００３４】
アプリ管理サーバ３０は、回答者Ｕ１１，Ｕ１２，Ｕ１３から回答を受信し、それらの回答を集計する（Ｓ５）。図では、回答者端末ＩＤと、回答日時と、回答と、写真とを対応付けた情報に基づいて、回答を集計している。
【００３５】
その後、アプリ管理サーバ３０は、集計した結果を質問者Ｕ１０へ送信する（Ｓ６）。図では、質問者Ｕ１０の質問者端末１０には、「Ｎ件の回答が届いています！」というメッセージが表示されている。
【００３６】
尚、この概略動作において、アプリ管理サーバ３０は、集計した結果を質問者Ｕ１０へ送信するに留め、集計した結果を信頼するか否かは、それを見た質問者に委ねるようにしてよい。
【００３７】
また、質問者Ｕ１０は、特定の回答に対してお礼をすることができる。例えば、「やってますよ！」という回答を信頼し、「ありがとう」ボタンを押すと、「やってますよ！」と回答した回答者Ｕ１１に付加価値が送られることとしてよい。ここで、付加価値としては、他の商取引で使えるポイントや、このサービスにおいて質問をする権利等が考えられる。これにより、回答者Ｕ１１はなるべく正しい回答をするようになる。尚、この場合、「ありがとう」ボタンを押すことは、回答を信頼する旨の情報を入力することの一例である。また、ここでは回答者Ｕ１１に付加価値が送られるとしたが、アプリ管理サーバ３０が回答者Ｕ１１に付加価値を付与して管理するようにしてもよい。その意味で、付加価値を送る手段は、付加価値を付与する付与手段の一例である。
【００３８】
ところで、この概略動作例では、質問対象の施設の具体例として、ラーメン屋を挙げたが、質問対象の施設は、このような飲食店には限らず、物品販売店等を含む店舗であってよい。或いは、質問対象の施設は、店舗だけではなく、役所、公園等の公共施設、海水浴場、遊園地等のレジャー施設、駅等の交通関連施設等でもよいが、以下では、施設として店舗を例にとり説明する。
【００３９】
［本実施の形態の端末画面］
図５乃至図８は、本実施の形態における端末画面例を示した図である。尚、図３及び図４に示した端末画面例では、フリーテキストで入力及び表示を行う簡単な例を示したが、ここでは、選択肢を用いて入力したり表を用いて表示したりする詳細化した例を示す。
【００４０】
図５は、質問者端末１０の質問時の画面例である。これは、図３で質問者端末１０内に示した画面例を詳細化したものに相当する。
【００４１】
この画面例では、店舗入力欄１１１から、質問対象の店舗を最寄り駅及び店舗名で指定して入力することができるようになっている。或いは、質問対象の店舗を地図から探して入力することもできるようになっている。
【００４２】
また、質問入力欄１１２から、質問を、開店しているか、閉店しているか、空席があるか、行列があるか、売り切れがあるか、という５つの選択肢から選択することで入力できるようになっている。加えて、これらの選択肢を選択した場合には、詳細条件を設定できるようになっている。例えば、空席があるかという選択肢を選択した場合には、空席があるか確認したいのは店舗内のどのエリア（窓際、禁煙等）についてかという条件を指定することができる。売り切れがあるかという選択肢を選択した場合には、売り切れがあるか確認したいのはどの商品（セール商品、限定商品等）についてかという条件を指定することができる。或いは、質問がこれらの選択肢の中にない場合はその他として質問をフリーテキストで入力できるようにもなっている。尚、上記の選択肢及び詳細条件は、店舗側が自店舗に特有のものを用意してもよい。
【００４３】
また、回答希望期限入力欄１１３から、回答希望期限を年月日及び時間で指定して入力できるようになっている。
【００４４】
また、写真要否入力欄１１４から、質問対象の店舗等の写真を回答に添付することが必要か不要かを入力できるようになっている。
【００４５】
図６は、回答者端末２０に表示された回答フォームの基本構成例である。これは、図３及び図４で回答者端末２０内に示した画面例を合成して詳細化したものに相当する。
【００４６】
この画面例では、質問内容表示欄２１１に、最寄り駅及び店舗名で指定された質問対象の店舗が開店しているかという質問内容が表示されている。そして、質問対象の店舗を地図で確認するための地図ボタン２１２も表示されている。
【００４７】
また、回答希望期限表示欄２１３に、回答希望期限及び回答締め切りまでの残り時間が表示されている。
【００４８】
一方、この画面例では、回答入力欄２１４から、回答を、開店している、開店していない、という２つの選択肢から選択することで入力できるようになっている。或いは、回答がこれらの選択肢の中にない場合はその他として回答をフリーテキストで入力できるようにもなっている。
【００４９】
また、写真入力欄２１５から、質問対象の店舗等の写真を回答に添付して入力できるようになっている。
【００５０】
また、回答をアプリ管理サーバ３０へ送信するための回答送信ボタン２１６も表示されている。
【００５１】
図７は、図６に示した回答フォームの基本構成例で地図ボタン２１２を押下することによる地図表示時の画面例である。
【００５２】
この画面例では、質問内容表示欄２１１と回答希望期限表示欄２１３との間に地図２２１が表示されている。そして、この地図中には、回答者端末２０の現在位置を示す現在位置マーク２２２と、質問対象の店舗の位置を示す質問対象マーク２２３とが表示され、回答者端末２０の現在位置から質問対象の店舗までの相対的な位置関係が分かるようになっている。
【００５３】
また、地図２２１の上部には、「地図を閉じる」ボタン２２４が表示され、これが押下されることにより、図６の基本構成例の表示に戻るようになっている。
【００５４】
図８は、質問者端末１０の回答閲覧時の画面例である。これは、図４で質問者端末１０内に示した画面例を詳細化したものに相当する。
【００５５】
この画面例では、件数表示欄１２１に、１２時００分現在で１１３件の回答が届いていることが表示されている。
【００５６】
また、回答集計結果表示欄１２２に、回答ごとの件数を示す回答集計結果が表示されている。具体的には、回答集計結果では、「開店している」という回答が１００件、「開店していない」という回答が１０件、「その他」という回答が３件あったことが示されている。ここで、「その他」に対しては、閲覧ボタン１２３を押下することにより、図６においてフリーテキストで入力された回答を閲覧できるようになっている。加えて、各回答に対しては、「ありがとう」を送るための「送る」ボタン１２４も表示されている。例えば、「開店している」という回答に対する「送る」ボタン１２４を押下した場合、「開店している」と回答した回答者全員に付加価値が送られるようにしてよい。
【００５７】
また、写真表示欄１２５に、回答者が回答に添付した写真が表示されている。尚、図８には示していないが、各写真には、その写真を添付した回答者の識別情報を表示するとよい。この場合、回答集計結果表示欄１２２の特定の回答を選択することにより、その回答をした複数の回答者の識別情報とこれら複数の回答者のそれぞれに対する「送る」ボタンとを表示するとよい。このようにすれば、どの回答者が写真を添付して回答したかが分かるので、写真を添付して回答してくれた回答者に対する「送る」ボタンを押下することにより、その回答者にのみ「ありがとう」を送信することも可能になる。
【００５８】
また、この画面例は、１２時００分現在のものであるが、回答希望期限が１２時００分よりも後である場合は、更新ボタン１２６を押下することにより、回答集計結果や写真を最新のものに更新することができる。そして、この画面例は、終了ボタン１２７を押下することにより閉じられる。
【００５９】
尚、これらの画面例では、質問内容の具体例として、店舗について、開店しているか、閉店しているか、空席があるか、行列があるか、売り切れがあるかという５つの項目を挙げたが、これには限らない。例えば、ビルの運営状況、駐車場の空き状況、店舗に特定の人物がいるか等でもよいし、特定の建物の洗濯物が風で飛んでいるか等の特殊なものでもよいが、以下では、質問内容として、上記の５つの項目のうち、店舗について、開店しているか、空席があるか、売り切れがあるかという３つの項目を例にとり説明する。
【００６０】
［アプリ管理サーバの機能構成］
図９は、本実施の形態におけるアプリ管理サーバ３０の機能構成例を示したブロック図である。図示するように、本実施の形態におけるアプリ管理サーバ３０は、受信部４１と、質問管理情報生成部４２と、質問管理情報記憶部４３と、回答管理情報生成部４４と、回答管理情報記憶部４５と、回答者抽出部４６と、質問通知生成部４７と、回答集計部４８と、送信部４９とを備えている。
【００６１】
受信部４１は、質問者端末１０からは、質問者端末ＩＤ及び質問情報を受信する。ここで、質問情報とは、図５の画面例で入力された質問に関する情報である。例えば、最寄り駅、店舗名、質問、詳細条件、回答希望期限、写真要否を含む。このうち、最寄り駅、店舗名、質問、詳細条件を含む質問の内容に関する情報が、質問内容である。本実施の形態では、施設を特定する情報である施設特定情報の一例として、最寄り駅及び店舗名を用いている。
【００６２】
また、受信部４１は、回答者端末２０からは、質問ＩＤ（後述）、回答者端末ＩＤ、及び回答を受信する。ここで、図６の画面例で示したように、回答には写真が添付されてもよく、その場合には写真を識別する写真ＩＤが回答に付加されていてもよい。
【００６３】
更に、受信部４１は、質問者端末１０から、質問者端末ＩＤ、質問ＩＤ（後述）、及び回答集計結果（後述）の更新要求を受信することもある。
【００６４】
質問管理情報生成部４２は、受信部４１が質問者端末１０から質問者端末ＩＤ及び質問情報を受信した際に、これに質問ＩＤ及び質問日時を付与することにより質問管理情報を生成して質問管理情報記憶部４３に記憶する。ここで、質問ＩＤとは、質問を識別する識別情報であり、質問日時とは、質問者が質問をした日時である。本実施の形態では、施設に関する質問をする質問者から、施設特定情報を含む質問情報を取得する質問情報取得手段の一例として、質問管理情報生成部４２を設けている。
【００６５】
質問管理情報記憶部４３は、質問管理情報生成部４２が生成した質問管理情報を記憶する。
【００６６】
回答管理情報生成部４４は、受信部４１が回答者端末２０から回答者端末ＩＤ、質問ＩＤ、及び回答を受信した際に、これに回答ＩＤ及び回答日時を付与することにより回答管理情報を生成して回答管理情報記憶部４５に記憶する。ここで、回答ＩＤとは、回答を識別する識別情報であり、回答日時とは、回答者が回答をした日時である。本実施の形態では、回答者から、質問に関する回答を取得する回答取得手段の一例として、回答管理情報生成部４４を設けている。また、本実施の形態では、複数の回答者から回答を取得する回答取得手段の一例としても、回答管理情報生成部４４を設けている。
【００６７】
回答管理情報記憶部４５は、回答管理情報生成部４４が生成した回答管理情報を記憶する。
【００６８】
回答者抽出部４６は、受信部４１が質問者端末１０から質問者端末ＩＤ及び質問情報を受信した際に、質問情報に含まれる最寄り駅及び店舗名から店舗の位置情報を求め、この位置情報の近辺に存在する回答者を抽出する。本実施の形態では、質問情報に含まれる施設特定情報から施設の場所を特定し、施設の場所の近辺に存在する回答者を抽出する抽出手段の一例として、回答者抽出部４６を設けている。
【００６９】
具体的には、まず、回答者抽出部４６は、質問管理情報記憶部４３に記憶された質問管理情報に含まれる最寄り駅及び店舗名から、店舗の位置情報を求める。この場合、回答者抽出部４６が最寄り駅及び店舗名と店舗の位置情報との対応を保持しておき、この対応を参照することにより店舗の位置情報を求めてもよいし、回答者抽出部４６は最寄り駅及び店舗名と店舗の位置情報との対応を保持せず、このような対応を保持する他のサイトに問い合わせることにより店舗の位置情報を求めてもよい。
【００７０】
次に、回答者抽出部４６は、この店舗の位置情報と、図示しない端末位置情報記憶部に記憶された各端末装置の位置情報とを照合することにより、この店舗の近辺に存在する回答者端末２０の回答者端末ＩＤを抽出する。
【００７１】
質問通知生成部４７は、受信部４１が質問者端末１０から質問者端末ＩＤ及び質問情報を受信した際に、質問の存在を通知するための質問通知を生成する。本実施の形態では、回答者に対して質問の存在を通知する通知手段の一例として、質問通知生成部４７を設けている。
【００７２】
具体的には、まず、質問通知生成部４７は、質問管理情報記憶部４３に記憶された質問管理情報から質問ＩＤ及び質問情報を抽出する。
【００７３】
また、質問通知生成部４７は、質問対象の店舗の位置情報を取得する。この位置情報は、質問情報に含まれる最寄り駅及び店舗名から自身が求めることにより取得してもよいし、回答者抽出部４６が求めたものをそのまま取得してもよい。ここで、位置情報は、回答者端末２０に送信された場合、図７の画面例の地図２２１上に質問対象マーク２２３を表示するために用いられる。
【００７４】
更に、質問通知生成部４７は、質問情報から写真要否を取得し、これが「要」になっていれば、写真要否フラグを「ＯＮ」に設定し、これが「不要」になっていれば、写真要否フラグを「ＯＦＦ」に設定する。ここで、写真要否フラグは、回答者端末２０に送信された場合に回答者が写真を添付せずに回答することを拒絶するかどうかを制御するフラグである。例えば、回答者端末２０のアプリは、この写真要否フラグを参照し、これが「ＯＮ」であれば写真を添付せずに回答することを拒絶する動作を行い、これが「ＯＦＦ」であれば写真を添付せずに回答することを許可する動作を行うようにすればよい。この場合、写真要否フラグは、写真を添付せずに回答することを拒絶するかどうかを制御する制御情報の一例であり、質問通知生成部４７は、回答者に対して制御情報を更に通知する通知手段の一例である。
【００７５】
次に、質問通知生成部４７は、質問ＩＤと質問情報と店舗の位置情報と写真要否フラグとを含む質問通知を生成する。
【００７６】
回答集計部４８は、受信部４１が回答者端末２０から質問ＩＤ、回答者端末ＩＤ、及び回答を受信した後に、その質問ＩＤについて回答ごとに件数を集計した回答集計結果を生成する。本実施の形態では、回答に関する情報の一例として、回答集計結果を用いており、回答に関する情報を含む回答情報を質問者に提供する提供手段の一例として、回答集計部４８を設けている。また、本実施の形態では、複数の回答者から取得した複数の回答を集計し、集計結果を回答情報として質問者に提供する提供手段の一例としても、回答集計部４８を設けている。
【００７７】
具体的には、まず、回答集計部４８は、回答管理情報記憶部４５に記憶された回答管理情報から回答者端末ＩＤと回答とを抽出する。また、写真ＩＤがあれば、それも抽出する。
【００７８】
次に、回答集計部４８は、回答の種別（図６の画面例の回答入力欄２１４の選択肢に対応）に応じた記憶領域に、その種別の回答を送信した回答者端末２０の回答者端末ＩＤを記憶する。
【００７９】
次いで、回答集計部４８は、回答の種別に応じた記憶領域ごとにその記憶領域に記憶された回答者端末ＩＤの個数を数えて回答の種別ごとの件数とし、回答の種別ごとに件数と回答者端末ＩＤとを含む回答集計結果を生成する。ここで、この回答の種別ごとの件数は、質問者端末１０に送信された場合、図８の画面例の回答集計結果表示欄１２２に表示される。そして、回答者端末ＩＤは、質問者端末１０に送信された場合、図８の画面例の回答集計結果表示欄１２２で回答の種別を選択することにより表示されるように事前に設定しておけばよい。また、回答集計部４８は、ある回答に対して写真ＩＤが抽出されていれば、その回答を送信した回答者端末２０の回答者端末ＩＤと写真ＩＤとの対応も回答集計結果に含める。ここで、回答者端末ＩＤと写真ＩＤとの対応は、図８の画面例の写真表示欄１２５に表示されるようにすればよい。尚、この場合、回答者端末ＩＤは、回答者が特定されないように、一時的な回答者の識別情報に変換して表示するのが望ましい。
【００８０】
ここで、回答集計部４８は、質問ＩＤに対する質問情報に含まれる回答希望期限が到来した時点で回答集計結果を生成するとよい。この場合、回答集計部４８は、回答を希望する期限が到来した際に、複数の回答者から取得した複数の回答に関する情報を含む回答情報を質問者に提供する提供手段の一例である。また、回答集計部４８は、質問ＩＤに対する質問日時から回答希望期限まで定期的に回答集計結果を生成してもよい。或いは、回答集計部４８は、受信部４１が質問者端末１０から質問ＩＤ、回答者端末ＩＤ、及び回答集計結果の更新要求を受信した際に、回答集計結果を生成してもよい。
【００８１】
送信部４９は、回答者抽出部４６が抽出した回答者端末ＩＤの回答者端末２０へ、質問通知生成部４７が生成した質問通知を送信する。
【００８２】
また、送信部４９は、回答集計部４８が生成した回答集計結果を、受信部４１が回答者端末２０から受信した質問ＩＤに対応する質問者端末ＩＤの質問者端末１０へ送信する。
【００８３】
尚、これらの機能部は、ソフトウェアとハードウェア資源とが協働することにより実現される。具体的には、ＣＰＵ３１１（図２参照）が、受信部４１、質問管理情報生成部４２、回答管理情報生成部４４、回答者抽出部４６、質問通知生成部４７、回答集計部４８、送信部４９を実現するプログラムを例えばハードディスクドライブ３２（図２参照）からＲＡＭ３１３（図２参照）に読み込んで実行することにより、これらの機能部は実現される。また、質問管理情報記憶部４３、回答管理情報記憶部４５は、例えばハードディスクドライブ３２（図２参照）により実現される。
【００８４】
図１０は、質問管理情報記憶部４３に記憶される質問管理情報の一例を示した図である。図示するように、質問管理情報は、質問ＩＤと、質問日時と、質問者端末ＩＤと、最寄り駅と、店舗名と、質問と、詳細条件と、回答希望期限と、写真要否とを対応付けたものとなっている。
【００８５】
質問ＩＤは、上述したように、質問を識別する識別情報である。質問ＩＤは、例えば、受信部４１が質問情報を受信する都度採番する一連番号等であってよい。
【００８６】
質問日時は、上述したように、質問者が質問をした日時である。質問日時は、例えば、質問者端末１０が質問情報を送信した日時であってもよいし、受信部４１が質問情報を受信した日時であってもよい。
【００８７】
質問者端末ＩＤは、対応する質問ＩＤの質問を送信した質問者端末１０の端末ＩＤである。質問者端末ＩＤは、端末装置を使用するアプリ利用者が質問をすることにより質問者となった場合におけるその端末装置の端末ＩＤである。
【００８８】
最寄り駅及び店舗名は、対応する質問ＩＤの質問の対象の店舗を特定するための情報であり、図５の画面例の店舗入力欄１１１から入力される。このように質問対象の店舗を特定するために最寄り駅及び店舗名を用いた場合、同じ最寄り駅の同じ店舗名の店舗が存在することも考えられるが、それらの店舗は、質問者端末１０に表示された回答集計結果で件数が最も多い回答を信頼したり、回答に添付された写真を確認したりすることにより区別可能であるので、それほど問題とはならない。また、店舗入力欄１１１にも示したように質問対象の店舗を地図上で探した場合は、店舗を店舗ＩＤで特定することも可能である。その場合は、質問管理情報に、最寄り駅及び店舗名に代えて、店舗ＩＤを含めてよい。
【００８９】
質問及び詳細条件は、対応する最寄り駅及び店舗名で特定される質問対象の店舗について質問者が聞きたいことを示す情報であり、図５の画面例の質問入力欄１１２から入力される。ここでは、質問を、質問入力欄１１２に示したように選択肢として表示可能な簡単な事項とし、詳細条件は、この簡単な事項を補足する詳細な事項としている。
【００９０】
回答希望期限は、質問者が回答を希望する期限、つまり、対応する質問に対して回答者がいつまでに回答することを質問者が希望するかを示す情報であり、図５の画面例の回答希望期限入力欄１１３から入力される。
【００９１】
写真要否は、回答者が回答をする際の写真の要否、つまり、対応する質問に対して回答者が回答をする際に写真を添付することを質問者が希望するかどうかを示す情報であり、図５の画面例の写真要否入力欄１１４から入力される。
【００９２】
ここで、図１０に示した個々の質問管理情報の意味について説明する。
【００９３】
質問ＩＤ「Ｑ１」の質問管理情報は、質問が、２０１９年９月１９日１１時００分に、質問者端末ＩＤ「Ｔ１０」の質問者端末１０からなされ、最寄り駅Ｘの店舗名Ａの店舗が開店しているかどうかを聞くものであることを示している。そして、質問に対する回答が同日１２時００分までになされることが希望され、回答に写真を添付することが必ずしも必要でないことを示している。
【００９４】
質問ＩＤ「Ｑ２」の質問管理情報は、質問が、２０１９年９月１９日１２時００分に、質問者端末ＩＤ「Ｔ２０」の質問者端末１０からなされ、最寄り駅Ｙの店舗名Ｂの店舗に空席があるかどうかを聞くものであることを示している。そして、質問に対する回答が同日１２時１０分までになされることが希望され、回答に写真を添付することが必ずしも必要でないことを示している。
【００９５】
質問ＩＤ「Ｑ３」の質問管理情報は、質問が、２０１９年９月１９日１３時００分に、質問者端末ＩＤ「Ｔ３０」の質問者端末１０からなされ、最寄り駅Ｚの店舗名Ｃの店舗でセール品Ｓが売り切れているかどうかを聞くものであることを示している。そして、質問に対する回答が同日１３時２０分までになされることが希望され、回答に写真を添付することが必要であることを示している。
【００９６】
図１１は、回答管理情報記憶部４５に記憶される回答管理情報の一例を示した図である。図示するように、回答管理情報は、回答ＩＤと、回答日時と、回答者端末ＩＤと、質問ＩＤと、回答と、写真ＩＤとを対応付けたものとなっている。尚、回答管理情報は、図１０に示した質問ＩＤ「Ｑ２」、「Ｑ３」の質問に対する回答の情報も含むが、図では省略している。
【００９７】
回答ＩＤは、上述したように、回答を識別する識別情報である。回答ＩＤは、例えば、受信部４１が回答を受信する都度採番する一連番号等であってよい。
【００９８】
回答日時は、上述したように、回答者が回答をした日時である。回答日時は、例えば、回答者端末２０が回答を送信した日時であってもよいし、受信部４１が回答を受信した日時であってもよい。
【００９９】
質問者端末ＩＤは、対応する回答ＩＤの回答を送信した回答者端末２０の端末ＩＤである。回答者端末ＩＤは、端末装置を使用するアプリ利用者が回答をすることにより回答者となった場合におけるその端末装置の端末ＩＤである。
【０１００】
回答は、対応する質問ＩＤの質問に対して回答者が返した答えを示す情報であり、図６の画面例の回答入力欄２１４から入力される。ここでは、回答を、質問に合わせて、回答入力欄２１４に示したように選択肢として表示可能な簡単な事項としている。
【０１０１】
写真ＩＤは、対応する回答ＩＤの回答に添付された写真を識別する識別情報である。ここで、写真ＩＤは、例えば、アプリ管理サーバ３０内のその写真を記憶する記録領域のアドレス情報であってよい。
【０１０２】
ここで、図１１に示した個々の回答管理情報の意味について説明する。
【０１０３】
回答ＩＤ「Ａ１１」の回答管理情報は、回答が、２０１９年９月１９日１１時００分に、回答者端末ＩＤ「Ｔ１１」の回答者端末２０からなされ、質問ＩＤ「Ｑ１」の質問に対して、開店していると答えたものであり、写真ＩＤ「Ｐ１１」の写真が添付されていることを示している。
【０１０４】
回答ＩＤ「Ａ１２」の回答管理情報は、回答が、２０１９年９月１９日１１時０３分に、回答者端末ＩＤ「Ｔ１２」の回答者端末２０からなされ、質問ＩＤ「Ｑ１」の質問に対して、開店していると答えたものであり、写真は添付されていないことを示している。
【０１０５】
回答ＩＤ「Ａ１３」の回答管理情報は、回答が、２０１９年９月１９日１１時０５分に、回答者端末ＩＤ「Ｔ１３」の回答者端末２０からなされ、質問ＩＤ「Ｑ１」の質問に対して、開店していないと答えたものであり、写真は添付されていないことを示している。
【０１０６】
回答ＩＤ「Ａ１４」の回答管理情報は、回答が、２０１９年９月１９日１１時１０分に、回答者端末ＩＤ「Ｔ１４」の回答者端末２０からなされ、質問ＩＤ「Ｑ１」の質問に対して、開店していると答えたものであり、写真は添付されていないことを示している。
【０１０７】
［質問回答システムの動作］
図１２は、本実施の形態における質問回答システム１の動作例を示したシーケンス図である。
【０１０８】
図示するように、まず、質問者端末１０が、質問者端末ＩＤ及び質問情報をアプリ管理サーバ３０へ送信する（ステップ１０１）。ここで、質問情報は、例えば、最寄り駅、店舗名、質問、詳細条件、回答希望期限、写真要否を含む。
【０１０９】
これにより、アプリ管理サーバ３０では、受信部４１が、質問者端末ＩＤ及び質問情報を質問者端末１０から受信する（ステップ３０１）。
【０１１０】
次に、質問管理情報生成部４２が、ステップ３０１で受信された質問者端末ＩＤ及び質問情報に質問ＩＤ及び質問日時を付与することにより質問管理情報を生成し、これを質問管理情報記憶部４３に記憶する（ステップ３０２）。
【０１１１】
次いで、回答者抽出部４６が、ステップ３０２で記憶された質問管理情報に含まれる最寄り駅及び店舗名の店舗の近辺に存在する回答者端末２０の回答者端末ＩＤを抽出する回答者抽出処理を行う（ステップ３０３）。
【０１１２】
次いで、質問通知生成部４７が、ステップ３０２で記憶された質問管理情報に含まれる質問ＩＤ、質問情報等を含む情報であって質問が存在することを通知する情報である質問通知を生成する質問通知生成処理を行う（ステップ３０４）。
【０１１３】
そして、送信部４９が、ステップ３０３の回答者抽出処理で抽出された回答者端末ＩＤの回答者端末２０へ、ステップ３０４の質問通知生成処理で生成された質問通知を送信する（ステップ３０５）。
【０１１４】
これにより、回答者端末２０は、ステップ３０５で送信された質問通知を受信する（ステップ２０１）。そして、回答者端末２０は、ステップ２０１で受信した質問通知を表示デバイス２５に表示する（ステップ２０２）。
【０１１５】
これに応答して、回答者が質問通知に対し例えばタップ操作やスワイプ操作を行うと、回答者端末２０は、回答フォームを表示デバイス２５に表示する（ステップ２０３）。そして、回答者が回答フォームから回答を入力すると、回答者端末２０は、回答者端末ＩＤ、質問ＩＤ、及び回答をアプリ管理サーバ３０へ送信する（ステップ２０４）。
【０１１６】
これにより、アプリ管理サーバ３０では、受信部４１が、ステップ２０４で送信された回答者端末ＩＤ、質問ＩＤ、及び回答を受信する（ステップ３０６）。
【０１１７】
次に、回答管理情報生成部４４が、ステップ３０６で受信された回答者端末ＩＤ、質問ＩＤ、及び回答に回答ＩＤ及び回答日時を付加することにより回答管理情報を生成し、これを回答管理情報記憶部４５に記憶する（ステップ３０７）。
【０１１８】
次いで、回答集計部４８が、ステップ３０７で記憶された回答管理情報に含まれる質問ＩＤの質問に対する回答ごとに件数を集計した回答集計結果を生成する回答集計処理を行う（ステップ３０８）。
【０１１９】
そして、送信部４９が、ステップ３０８の回答集計処理で生成された回答集計結果を、質問ＩＤに対応する質問者端末ＩＤの質問者端末１０へ送信する（ステップ３０９）。
【０１２０】
これにより、質問者端末１０は、ステップ３０９で送信された回答集計結果を受信する（ステップ１０２）。そして、質問者端末１０は、ステップ１０２で受信した回答集計結果を表示デバイス１５に表示する（ステップ１０３）。
【０１２１】
図１３は、図１２のステップ３０３の回答者抽出処理の処理例を示したフローチャートである。
【０１２２】
図示するように、回答者抽出部４６は、まず、質問管理情報記憶部４３から質問管理情報を読み出す（ステップ３２１）。
【０１２３】
次に、回答者抽出部４６は、ステップ３２１で読み出した質問管理情報に含まれる最寄り駅及び店舗名から、店舗の位置情報を取得する（ステップ３２２）。
【０１２４】
その後、回答者抽出部４６は、別途管理されている各端末装置の位置情報と照合することにより、ステップ３２２で取得した位置情報の近辺に存在する回答者端末２０の回答者端末ＩＤを抽出する（ステップ３２３）。
【０１２５】
図１４は、図１２のステップ３０４の質問通知生成処理の処理例を示したフローチャートである。
【０１２６】
図示するように、質問通知生成部４７は、まず、質問管理情報記憶部４３から質問管理情報を読み出す（ステップ３４１）。
【０１２７】
次に、質問通知生成部４７は、ステップ３４１で読み出した質問管理情報から質問ＩＤ及び質問情報を抽出する（ステップ３４２）。
【０１２８】
次いで、質問通知生成部４７は、ステップ３４２で抽出した質問情報に含まれる最寄り駅及び店舗名から、店舗の位置情報を取得する（ステップ３４３）。或いは、回答者抽出部４６が図１３のステップ３２２で取得した店舗の位置情報をそのまま回答者抽出部４６から取得してもよい。
【０１２９】
次いで、質問通知生成部４７は、ステップ３４２で抽出した質問情報に含まれる写真要否が「要」になっているかどうかを判定する（ステップ３４４）。写真要否が「要」になっていれば、質問通知生成部４７は、写真要否フラグを「ＯＮ」に設定する（ステップ３４５）。写真要否が「不要」になっていれば、質問通知生成部４７は、写真要否フラグを「ＯＦＦ」に設定する（ステップ３４６）。
【０１３０】
その後、質問通知生成部４７は、ステップ３４２で抽出した質問ＩＤ及び質問情報と、ステップ３４３で取得した店舗の位置情報と、ステップ３４５で「ＯＮ」に又はステップ３４６で「ＯＦＦ」に設定された写真要否フラグとを含む質問通知を生成する（ステップ３４７）。
【０１３１】
図１５は、図１２のステップ３０８の回答集計処理の処理例を示したフローチャートである。
【０１３２】
図示するように、回答集計部４８は、まず、回答管理情報記憶部４５から、対象となる質問ＩＤを含む回答管理情報を読み出す（ステップ３６１）。ここで、対象となる質問ＩＤは、回答希望期限が到来した際に回答集計処理を行うのであれば、質問管理情報記憶部４３に記憶された質問管理情報のうち、回答希望期限に現在日時が到達した質問管理情報における質問ＩＤである。また、質問日時から回答希望期限まで定期的に回答集計処理を行うのであれば、質問管理情報記憶部４３に記憶された質問管理情報のうち、質問日時から一定時間を経過した日時に現在日時が到達した質問管理情報における質問ＩＤである。更に、質問者端末１０からの更新要求により回答集計処理を行うのであれば、質問者端末１０から送信された質問ＩＤである。
【０１３３】
次に、回答集計部４８は、ステップ３６１で読み出した回答管理情報から回答者端末ＩＤ、回答、及び写真ＩＤを抽出する（ステップ３６２）。
【０１３４】
次いで、回答集計部４８は、ステップ３６２で抽出した回答の種別に応じた記憶領域に、ステップ３６２で抽出した回答者端末ＩＤを記憶する（ステップ３６３）。
【０１３５】
次いで、回答集計部４８は、ステップ３６２で抽出した回答者端末ＩＤに紐付けて、ステップ３６２で抽出した写真ＩＤを記憶する（ステップ３６４）。
【０１３６】
その後、回答集計部４８は、対象となる質問ＩＤを含む回答管理情報が他にあるかどうかを判定する（ステップ３６５）。対象となる質問ＩＤを含む回答管理情報が他にあると判定すれば、回答集計部４８は、処理をステップ３６１へ戻す。対象となる質問ＩＤを含む回答管理情報が他にないと判定すれば、回答集計部４８は、ステップ３６３で回答の種別に応じた記憶領域に記憶された回答者端末ＩＤの個数を数えて回答の種別ごとの件数とする（ステップ３６６）。そして、ステップ３６６で求めた回答の種別ごとの件数と、ステップ３６３で記憶した回答の種別ごとの回答者端末ＩＤと、ステップ３６４で記憶した回答者端末ＩＤ及び写真ＩＤの対応とを含む回答集計結果を生成する（ステップ３６７）。
【０１３７】
［本実施の形態の効果］
以上述べたように、本実施の形態では、アプリ管理サーバ３０が、質問者端末１０から質問を受信した際にアプリ利用者の位置情報を用いて質問対象の施設の近辺の回答者端末２０を抽出するようにした。これにより、質問者からの質問が質問対象の施設の近辺にいる回答者だけに限定的に送信され、質問対象の施設の現状が即座に回答されることとなった。
【０１３８】
また、本実施の形態では、アプリ管理サーバ３０が、質問者端末１０から質問と共に受信した回答希望期限を回答者端末２０に伝えるようにした。これにより、質問者が希望の日時までに回答者から必要な情報を収集することが可能となった。
【０１３９】
更に、本実施の形態では、アプリ管理サーバ３０が、アプリ利用者の個人情報をその端末装置や位置情報に紐付けないようにした。これにより、質問者の個人情報が回答者端末２０に表示されたり、回答者の個人情報が質問者端末１０に表示されたりしなくなり、個人情報漏洩のリスクが低減された。
【符号の説明】
【０１４０】
１…質問回答システム、１０…質問者端末、２０…回答者端末、３０…アプリ管理サーバ、４１…受信部、４２…質問管理情報生成部、４３…質問管理情報記憶部、４４…回答管理情報生成部、４５…回答管理情報記憶部、４６…回答者抽出部、４７…質問通知生成部、４８…回答集計部、４９…送信部
【要約】
【課題】質問者が欲する施設の現状について、本構成を採用しない場合に比べて、より適切に、質問者に対して提供可能とする。
【解決手段】施設に関する質問をする質問者から、施設を特定する情報である施設特定情報を含む質問情報を取得する質問情報取得手段と、取得した質問情報に含まれる施設特定情報から施設の場所を特定し、施設の場所の近辺に存在する回答者を抽出する抽出手段と、抽出した回答者に対して質問の存在を通知する通知手段と、回答者から、質問に関する回答を取得する回答取得手段と、取得した回答に関する情報を含む回答情報を質問者に提供する提供手段とを備えたことを特徴とする施設情報収集システム。
【選択図】図９【図１】
0006796702.tif 000002
【図２】
0006796702.tif 000003
【図３】
0006796702.tif 000004
【図４】
0006796702.tif 000005
【図５】
0006796702.tif 000006
【図６】
0006796702.tif 000007
【図７】
0006796702.tif 000008
【図８】
0006796702.tif 000009
【図９】
0006796702.tif 000010
【図１０】
0006796702.tif 000011
【図１１】
0006796702.tif 000012
【図１２】
0006796702.tif 000013
【図１３】
0006796702.tif 000014
【図１４】
0006796702.tif 000015
【図１５】
0006796702.tif 000016